(57)【要約】【課題】ラジオ放送，ＴＶ放送等の地域固有の公共放送を、受信を希望する放送局の電波が届かないエリアにおいても視聴することが可能な無線通信端末装置を提供する。【解決手段】無線通信端末装置ａにおいて、遠隔地にあって放送受信アンテナ１を有する他の無線通信端末装置ｂに無線通信アンテナ２を介して無線接続する。無線通信端末装置ａは、無線通信端末装置ｂの放送受信アンテナ１で受信した通信端末装置ｂの存在する地域固有の公共放送情報を、接続した回線を通じて受信する。【選択図】        図１
2004186962.tif 000002
【特許請求の範囲】
【請求項１】
無線通信回線を介して通信を行う無線通信端末装置において、遠隔地にあって放送信号を受信する放送受信手段を有する他の通信端末装置に接続し、該通信端末装置で受信した該通信端末装置の存在する地域固有の放送の情報を、前記接続した回線を通じて受信する放送情報受信手段を備えることを特徴とする無線通信端末装置。
【請求項２】
前記通信端末装置として無線通信端末装置を使用することを特徴とする請求項１記載の無線通信端末装置。
【請求項３】
前記地域固有の放送はラジオ放送及び／又はＴＶ放送を含むことを特徴とする請求項１又は２記載の無線通信端末装置。
【請求項４】
当該無線通信端末装置側にも放送信号を受信する放送受信手段を備えることを特徴とする請求項１乃至３のいずれか１記載の無線通信端末装置。
【請求項５】
前記他の通信端末装置に関する情報から、当該無線通信端末装置の使用者が受信を希望する放送の放送局の電波が受信可能な通信端末装置を検索する手段を備えることを特徴とする請求項１乃至４のいずれか１記載の無線通信端末装置。
【請求項６】
接続先の通信端末装置を切り替えることによって、受信電波レベルの低下による受信状況の悪化を防止する手段を備えることを特徴とする請求項１乃至５のいずれか１記載の無線通信端末装置。
【請求項７】
請求項１乃至４のいずれか１記載の無線通信端末装置に、前記他の通信端末装置に関する情報を提供するサーバ装置であって、前記他の通信端末装置に関する情報を格納する格納手段と、前記無線通信端末装置からの検索要求に対し、該無線通信端末装置の使用者が受信を希望する放送の放送局の電波が受信可能な通信端末装置を、前記情報が格納された通信端末装置の中から検索し、該検索した結果を前記無線通信端末装置に伝送する伝送手段とを備えることを特徴とするサーバ装置。
【請求項８】
請求項１乃至４のいずれか１記載の無線通信端末装置に、前記他の通信端末装置に関する情報を提供するサーバ装置と、放送地域毎に配置され、前記無線通信端末装置に放送情報を提供する前記他の通信端末装置とを備えた放送情報提供システムであって、前記サーバ装置は、前記他の通信端末装置に関する情報を格納する格納手段と、前記無線通信端末装置からの検索要求に対し、該無線通信端末装置の使用者が受信を希望する放送の放送局の電波が受信可能な通信端末装置を、前記情報が格納された通信端末装置の中から検索し、該検索した結果を前記無線通信端末装置に伝送する伝送手段とを有することを特徴とする放送情報提供システム。
【請求項９】
通信回線を介して通信を行う通信端末装置において、放送信号を受信する放送受信手段と、遠隔地にある無線通信端末装置に接続し、前記放送受信手段で受信した当該通信端末装置の存在する地域固有の放送の情報を、前記接続した回線を通じて伝送する放送情報伝送手段とを備えることを特徴とする通信端末装置。
【請求項１０】
当該通信端末装置として無線通信端末装置を使用することを特徴とする請求項９記載の通信端末装置。
【請求項１１】
前記地域固有の放送はラジオ放送及び／又はＴＶ放送を含むことを特徴とする請求項９又は１０記載の通信端末装置。
【請求項１２】
前記無線通信端末装置側にも放送信号を受信する放送受信手段を備えることを特徴とする請求項９乃至１１のいずれか１記載の通信端末装置。
【請求項１３】
前記無線通信端末装置に関する情報から、当該通信端末装置の使用者が受信を希望する放送の放送局の電波が受信可能な無線通信端末装置を検索する手段を備えることを特徴とする請求項９乃至１２のいずれか１記載の通信端末装置。
【請求項１４】
接続先の無線通信端末装置を切り替えることによって、受信電波レベルの低下による受信状況の悪化を防止する手段を備えることを特徴とする請求項９乃至１３のいずれか１記載の通信端末装置。
【請求項１５】
請求項９乃至１２のいずれか１記載の通信端末装置に、前記無線通信端末装置に関する情報を提供するサーバ装置であって、前記無線通信端末装置に関する情報を格納する格納手段と、前記通信端末装置からの検索要求に対し、該通信端末装置の使用者が受信を希望する放送の放送局の電波が受信可能な無線通信端末装置を、前記情報が格納された無線通信端末装置の中から検索し、該検索した結果を前記通信端末装置に伝送する伝送手段とを備えることを特徴とするサーバ装置。
【請求項１６】
請求項９乃至１２のいずれか１記載の通信端末装置に、前記無線通信端末装置に関する情報を提供するサーバ装置と、前記通信端末装置に放送情報を提供する前記無線通信端末装置とを備えた放送情報提供システムであって、前記サーバ装置は、前記無線通信端末装置に関する情報を格納する格納手段と、前記通信端末装置からの検索要求に対し、該通信端末装置の使用者が受信を希望する放送の放送局の電波が受信可能な無線通信端末装置を、前記情報が格納された無線通信端末装置の中から検索し、該検索した結果を前記通信端末装置に伝送する伝送手段とを有することを特徴とする放送情報提供システム。
【請求項１７】
無線通信回線を介して通信を行う無線通信端末装置において、遠隔地にあって放送信号を受信する放送受信手段を有する他の無線通信端末装置に接続し、該他の無線通信端末装置で受信した該他の無線通信端末装置の存在する地域固有の放送の情報を、前記接続した回線を通じて受信する放送情報受信手段と、放送信号を受信する放送受信手段と、前記他の無線通信端末装置に接続し、前記放送受信手段で受信した当該無線通信端末装置の存在する地域固有の放送の情報を、前記接続した回線を通じて伝送する放送情報伝送手段とを備えることを特徴とする無線通信端末装置。
【発明の詳細な説明】
【０００１】
【発明の属する技術分野】
本発明は、無線通信端末装置、通信端末装置、サーバ装置、及び放送情報提供システムに関し、より詳細には、地域固有の放送情報を受信可能な、無線通信端末装置、通信端末装置、サーバ装置、及び放送情報提供システムに関する。
【０００２】
【従来の技術】
従来、ラジオを内蔵することにより、その利便性を向上させた電話装置が提案されている（例えば、特許文献１参照）。特許文献１に記載の電話装置は、電話の待受け状態においてラジオの聴取をすることで装置の利用効率を高めることを可能としたり、また、電話番号等を表示するために用いられる表示部を利用することでラジオのＦＭ文字放送の受信を可能にしたり、さらには、ラジオ聴取中であっても電話の着信情報を表示部にて表示することで着信を見逃さないよう構成されている。
【０００３】
【特許文献１】
特開平９−１８５６１号公報
【０００４】
【発明が解決しようとする課題】
しかしながら、上述のごとき電話装置においては、電話通信機能とラジオ放送受信機能は別々に使用されており、単に個々の機能をもつ機器を２つ組み合わせて一体化した装置を提案するだけに留まっており、それぞれの機能を同時に活用することによって新たな機能を実現させるものではない。
【０００５】
また、上述のごときラジオ放送受信機能をもった電話装置に限らず、従来の放送受信技術においては、放送を受信するための端末装置は、放送局からの電波が届く範囲にある必要があり、当然ながら放送局からの電波が届かないエリアにある場合にはその放送局の放送を視聴することができない。
【０００６】
本発明は、上述のごとき実情に鑑みてなされたものであり、ラジオ放送，ＴＶ放送等の地域固有の放送（公共放送など）を、受信を希望する放送局の電波が届かないエリアにおいても視聴することが可能な、無線通信端末装置、通信端末装置、それら装置を機能させるためのサーバ装置、及び放送情報提供システムを提供することをその目的とする。
【０００７】
【課題を解決するための手段】
本発明は、上述の課題を解決するために以下の技術手段で構成する。
第１の技術手段は、無線通信回線を介して通信を行う無線通信端末装置において、遠隔地にあって放送信号を受信する放送受信アンテナ等の放送受信手段を有する他の通信端末装置に接続し、該通信端末装置で受信した該通信端末装置の存在する地域固有の放送（公共放送等）の情報を、前記接続した回線を通じて受信する放送情報受信手段を備えることを特徴としたものである。この無線通信端末装置は、他の通信端末装置として複数の装置に接続可能な場合も多々あることは言及するまでもない。
【０００８】
第２の技術手段は、第１の技術手段において、前記通信端末装置として無線通信端末装置を使用することを特徴としたものである。
【０００９】
第３の技術手段は、第１又は第２の技術手段において、前記地域固有の放送はラジオ放送及び／又はＴＶ放送を含むことを特徴としたものである。
【００１０】
第４の技術手段は、第１乃至第３のいずれか１の技術手段において、当該無線通信端末装置側にも放送信号を受信する放送受信手段を備えることを特徴とし、双方でお互いの地方での放送を受信可能なようシステムを構成可能としている。
【００１１】
第５の技術手段は、第１乃至第４のいずれか１の技術手段において、前記他の通信端末装置に関する情報から、当該無線通信端末装置の使用者が受信を希望する放送の放送局の電波が受信可能な通信端末装置を検索する手段を備えることを特徴としたものである。前記他の通信端末装置に関する情報とは、無線通信端末装置内や、外部サーバ（局に設置、或いは局と接続可に設置）などに格納されるものとする。そして、検索した通信端末装置に関する情報を、直接、或いはその通信端末装置のユーザ判断を経て、当該無線通信端末装置の利用者に知らせるか、或いはその通信端末装置に自動で接続するようにすればよい。
【００１２】
第６の技術手段は、第１乃至第５のいずれか１の技術手段において、接続先の通信端末装置を切り替えることによって、受信電波レベルの低下による受信状況の悪化を防止する手段を備えることを特徴としたものである。例えば、放送電波の受信レベルを測定し、一定のレベルを下回った場合は、他の通信端末装置の位置情報から受信放送局の電波の受信に適切な通信端末装置を自動で検索し、条件を満たす通信端末装置が検索された場合は、その通信端末装置へ接続するようにしてもよい。
【００１３】
第７の技術手段は、第１乃至第４のいずれか１の技術手段における無線通信端末装置に、前記他の通信端末装置に関する情報を提供するサーバ装置であって、前記他の通信端末装置に関する情報を格納する格納手段と、前記無線通信端末装置からの検索要求に対し、該無線通信端末装置の使用者が受信を希望する放送の放送局の電波が受信可能な通信端末装置を、前記情報が格納された通信端末装置の中から検索し、該検索した結果を前記無線通信端末装置に伝送する伝送手段とを備えることを特徴としたものである。
【００１４】
第８の技術手段は、第１乃至第４のいずれか１の技術手段における無線通信端末装置に、前記他の通信端末装置に関する情報を提供するサーバ装置と、放送地域毎に配置され、前記無線通信端末装置に放送情報を提供する前記他の通信端末装置とを備えた放送情報提供システムであって、前記サーバ装置は、前記他の通信端末装置に関する情報を格納する格納手段と、前記無線通信端末装置からの検索要求に対し、該無線通信端末装置の使用者が受信を希望する放送の放送局の電波が受信可能な通信端末装置を、前記情報が格納された通信端末装置の中から検索し、該検索した結果を前記無線通信端末装置に伝送する伝送手段とを有することを特徴としたものである。例えば、前記通信端末装置は、前記放送情報受信手段による放送情報要求に対し、或いは前記サーバ装置からの放送情報伝送要求に対し、放送情報を前記無線通信端末装置に提供するようにすればよい。
【００１５】
第９の技術手段は、通信回線を介して通信を行う通信端末装置において、放送信号を受信する放送受信手段と、遠隔地にある無線通信端末装置に接続し、前記放送受信手段で受信した当該通信端末装置の存在する地域固有の放送の情報を、前記接続した回線を通じて伝送する放送情報伝送手段とを備えることを特徴としたものである。この通信端末装置は、無線通信端末装置として複数の装置に接続可能な場合も多々あることは言及するまでもない。
【００１６】
第１０の技術手段は、第９の技術手段において、当該通信端末装置として無線通信端末装置を使用することを特徴としたものである。
【００１７】
第１１の技術手段は、第９又は第１０の技術手段において、前記地域固有の放送はラジオ放送及び／又はＴＶ放送を含むことを特徴としたものである。
【００１８】
第１２の技術手段は、第９乃至１１のいずれか１の技術手段において、前記無線通信端末装置側にも放送信号を受信する放送受信手段を備えることを特徴とし、双方でお互いの地方での放送を受信可能なようシステムを構成可能としている。
【００１９】
第１３の技術手段は、第９乃至１２のいずれか１の技術手段において、前記無線通信端末装置に関する情報から、当該通信端末装置の使用者が受信を希望する放送の放送局の電波が受信可能な無線通信端末装置を検索する手段を備えることを特徴としたものである。ここでは第５の技術手段と同様の方法が適用できる。
【００２０】
第１４の技術手段は、第９乃至１３のいずれか１の技術手段において、接続先の無線通信端末装置を切り替えることによって、受信電波レベルの低下による受信状況の悪化を防止する手段を備えることを特徴としたものである。ここでは第６の技術手段と同様の方法が適用できる。
【００２１】
第１５の技術手段は、第９乃至１２のいずれか１の技術手段における通信端末装置に、前記無線通信端末装置に関する情報を提供するサーバ装置であって、前記無線通信端末装置に関する情報を格納する格納手段と、前記通信端末装置からの検索要求に対し、該通信端末装置の使用者が受信を希望する放送の放送局の電波が受信可能な無線通信端末装置を、前記情報が格納された無線通信端末装置の中から検索し、該検索した結果を前記通信端末装置に伝送する伝送手段とを備えることを特徴としたものである。
【００２２】
第１６の技術手段は、第９乃至１２のいずれか１の技術手段における通信端末装置に、前記無線通信端末装置に関する情報を提供するサーバ装置と、前記通信端末装置に放送情報を提供する前記無線通信端末装置とを備えた放送情報提供システムであって、前記サーバ装置は、前記無線通信端末装置に関する情報を格納する格納手段と、前記通信端末装置からの検索要求に対し、該通信端末装置の使用者が受信を希望する放送の放送局の電波が受信可能な無線通信端末装置を、前記情報が格納された無線通信端末装置の中から検索し、該検索した結果を前記通信端末装置に伝送する伝送手段とを有することを特徴としたものである。例えば、前記無線通信端末装置は、前記放送情報受信手段による放送情報要求に対し、或いは前記サーバ装置からの放送情報伝送要求に対し、放送情報を前記通信端末装置に提供するようにすればよい。
【００２３】
第１７の技術手段は、無線通信回線を介して通信を行う無線通信端末装置において、遠隔地にあって放送信号を受信する放送受信手段を有する他の無線通信端末装置に接続し、該他の無線通信端末装置で受信した該他の無線通信端末装置の存在する地域固有の放送の情報を、前記接続した回線を通じて受信する放送情報受信手段と、放送信号を受信する放送受信手段と、前記他の無線通信端末装置に接続し、前記放送受信手段で受信した当該無線通信端末装置の存在する地域固有の放送の情報を、前記接続した回線を通じて伝送する放送情報伝送手段とを備えることを特徴としたものである。
【００２４】
上述のごとき各技術手段を利用して本発明を好適に実現すると、例えば、次のようになる。
携帯電話機に代表される無線通信端末装置に、ラジオ放送，ＴＶ放送等の地域固有の放送（公共放送等）を受信できる機能を一体化し、無線通信端末装置の通信機能を利用することで、ある無線通信端末装置が受信を希望する放送局の電波が届かない範囲に位置していても（或いは放送受信機能をもたない無線通信端末装置であっても）、その放送局からの情報を受信することを可能としたものである。なお、放送受信機能は、例えば内蔵されている放送受信アンテナを用いて地域固有の公共放送情報を受信するなどして実現可能である。なお、同様に、例えば、設置型電話機に代表される通信端末装置に、同様の放送を受信できる機能を一体化しその通信機能を利用することで、ある無線通信端末装置が受信希望放送局の電波が届かない範囲に位置していても、その放送局からの情報を受信することを可能としたものである。例えば、友人などの居住地又は旅行先での放送を設置型通信端末装置に伝送してもらうような利用形態も採り得る。
【００２５】
また、この無線通信端末装置において、無線通信端末装置の現在位置を把握し、受信希望放送局の電波が受信可能であるか判断し、受信が困難である場合は、他の無線通信端末装置の位置情報から受信希望放送局の電波の受信に適切な無線通信端末装置を自動で検索し、条件を満たす無線通信端末装置が検索された場合は、その無線通信端末装置へ接続するようにしてもよい。例えば、無線通信端末装置の位置情報を管理するサーバによって自動検索するようにして、利用者は受信に必要な通信端末装置の存在を意識しなくするとよい。すなわち、本発明の他の形態に係る無線通信端末装置では、格納されている他の無線通信端末装置の情報を自動検索することによって、受信を希望する公共放送の放送局の電波が受信可能な他の無線通信端末装置を、当該無線通信端末装置の利用者に知らせるなどしてその無線通信端末装置との接続を促すか、或いはその無線通信端末装置と自動的に接続する。いずれにせよ、放送情報を送信する側の端末装置でも、送信を行うか否かを判断できるようにすることが好ましい。
【００２６】
さらに、上述のいずれかの無線通信端末装置において、放送電波の受信レベルを測定し、一定のレベルを下回った場合は、他の無線通信端末装置の位置情報から受信放送局の電波の受信に適切な無線通信端末装置を自動で検索し、条件を満たす無線通信端末装置が検索された場合は、その無線通信端末装置へ接続するようにしてもよい。すなわち、本発明の他の例では、接続先の無線通信端末装置を切り替えることによって、受信電波レベルの低下による受信状況の悪化を防止する。
【００２７】
【発明の実施の形態】
図１は、本発明の一実施形態に係る、ラジオ放送の受信が可能な携帯電話機の構成例を示す機能ブロック図である。
以下、本発明に係る無線通信端末装置を、図１を参照してラジオ放送の受信が可能な１対の携帯電話機を例に挙げて説明するが、ＡＭ，ＦＭ等のラジオ放送に限らず様々なＴＶ（テレビジョン）放送に対しても、さらには双方に対しても適用可能であり、また、ＰＨＳ（簡易型携帯電話機）を含む携帯電話機に限らず、ＰＤＡ（Ｐｅｒｓｏｎａｌ  Ｄｉｇｉｔａｌ  Ａｓｓｉｓｔａｎｔ），小型ＰＣ等のモバイルコンピュータに対しても適用可能である。なお、ＴＶ放送に対し方式が違うＴＶ信号を受信したいときに対応するため、ＴＶ放送方式の変換手段を備えるようにしてもよい。さらに、本発明に係る無線通信端末装置は、その機能を実現させるために少なくとも対となる通信端末装置（他の通信端末装置）が必要となるが、この通信端末装置としてはここで例示するような同様の無線通信端末装置に限らず、有線により通信を行う設置型ＰＣ等の端末装置であってもよく、その実施の形態によってはいずれを放送視聴側としてもよい。
【００２８】
図１で例示するラジオ放送受信機能付き携帯電話機は、その構成要素として、放送受信アンテナ１，無線通信アンテナ２，放送信号処理部３，通信信号処理部４，表示部５，制御部６，スピーカ７，マイク８，キー入力部９を備えるものとする。
【００２９】
放送受信アンテナ１はラジオ放送を受信するためのアンテナで、無線通信アンテナ２は他の通信端末装置との通信（実際には無線局を介した通信）を行うためのアンテナである。ここで他の通信端末装置は図示しないが、図１で示す携帯電話機と同様の携帯電話機として例示する。
【００３０】
放送信号処理部３では、放送受信アンテナ１を介して受信された放送信号を処理し、通信信号処理部４では、無線通信アンテナ２を介して受信又は送信される信号を処理する。また、表示部５では、各種制御情報の表示を行う。
【００３１】
スピーカ７では、放送信号処理部３によって処理された放送情報の音声信号又は通信信号処理部４によって処理された他の端末からの音声信号を外部に放音する。また、マイク８では、外部音声を集音して通信信号処理部４に供給する。キー入力部９は、キー入力を処理するためのキー等からなり、例えば、終話／電源キー，ラジオ受信キー等の機能キー，電話番号の入力や受信放送局の選局等を行う数字キーなどからなっている。
【００３２】
制御部６では、マイク８，キー入力部９から入力される信号の処理と、表示部５へ出力する信号の処理と、受信した放送情報を、自分の端末装置で再生する場合には放送信号処理部３から受け取った信号をマイク８に出力し、他の端末に伝達する場合には通信信号処理部４に出力するといった制御とを行う。制御部６は、端末装置の回路構成によってはこれらの制御（及び後述する放送受信制御，放送情報受信制御）を行うための制御プログラムをＣＰＵ等の処理装置に実行させる形態を採用してもよい。
【００３３】
（第１の実施例）
図２は、図１の携帯電話機において放送局の電波を受信する手順の一実施例を表す概念図である。
図２を参照して、携帯電話機において、受信を希望する放送局に関する情報と、場合によってはその放送受信可能エリア１１内にある他の携帯電話機に関する情報（電話番号等）とを、無線局に伝送し、直接或いは他の携帯電話機に接続することによって、放送局の電波を受信する手順を概念的に説明する。ここでは、遠隔地の携帯電話機に接続し、接続先の携帯電話機で受信したラジオ情報を自分の携帯電話機に伝送する手順について、広島にいる人が九州の放送局の放送を聴く手順を例にして説明する。
【００３４】
まず、視聴側の携帯電話機が図１のように放送受信可能な機器である場合には、まず受信できる位置（放送受信可能エリア１１内）に在るかを判断し、そこに在れば直接放送を受信し、そこに存在しない場合に以下の処理により間接的に放送を受信するものとする。
【００３５】
広島にいる利用者が使用している携帯電話機を端末ａ、九州の放送局Ｓの放送を受信可能な携帯電話機を端末ｂとし、利用者は放送局Ｓの放送を聴くために端末ａを端末ｂに接続するものとする。すなわち、端末ｂは九州の放送局Ｓにおける放送受信可能エリア１１内に在り、端末ａは放送受信可能エリア１１外に在るものとする。なお、端末ａと端末ｂは、本発明の特徴を有する同じ種類の携帯型の無線通信端末装置（ここでは携帯電話機）であるものとする。
【００３６】
利用者は、端末ａのキー入力部９を用いて、放送局Ｓのラジオ情報の伝送を目的として端末ｂとの接続を行うという情報を入力する。その情報を制御部６が解析し、それを元に通信信号処理部４で端末ａを端末ｂと接続するための信号処理を行い、無線通信アンテナ２を用いて、無線局（図示せず）を介して端末ｂとの無線通信回線の接続を行う（Ｉ）。
【００３７】
端末ｂとの接続が完了した後、端末ａは端末ｂに放送局Ｓのラジオ情報を伝送してもらうための要求を送信する。その要求を受信した端末ｂは、端末ｂの制御部６により、その情報を解析し、端末ａより着信がありラジオ情報の伝送を要求しているという旨を、表示部５への表示及びスピーカ７の鳴動により利用者に知らせ、ラジオ情報の伝送を行うかどうかの確認を端末ｂの利用者に求める。
【００３８】
端末ｂの利用者がラジオ情報の伝送を許可しなかった場合は、その旨を端末ａの利用者に知らせる。このとき、端末ａの利用者は放送局Ｓの放送を聴くことはできない。一方、端末ｂの利用者がラジオ情報の伝送を許可したとする。このとき、端末ｂの制御部６は、放送受信アンテナ１及び放送信号処理部３を制御し、放送局Ｓから放送の電波を受信する（ＩＩ）。
【００３９】
端末ｂの制御部６は、受信した放送情報を、端末ｂ自身で再生するのか、或いは端末ｂに接続している他の端末（ここでは端末ａ）に伝送するのかを判断する。端末ｂ自身で再生する場合は、その放送情報をスピーカ７から放音するが、この場合は端末ａに伝送を行うので、スピーカへ７の出力は行わず、通信信号処理部４へ渡し、そこで無線通信回線を通して端末ａに伝送するための信号処理を行う。そして、無線通信アンテナ２により、端末ｂに接続している端末ａに受信したラジオ情報を送信する（ＩＩＩ）。
【００４０】
端末ａは、端末ｂからの無線電波を無線通信アンテナ２により受信し、通信信号処理部４によってその情報を音声信号に変換し、スピーカ７から出力する。以上より、端末ａの利用者は、放送受信可能エリア１１外にも拘らず放送局Ｓの放送を聴くことができる。
【００４１】
ここで、本発明の一実施例であるラジオ放送の受信が可能な携帯電話機について説明したが、ＴＶ放送の受信が可能な携帯電話機についても、上記の音声信号をスピーカ７から出力するという点が、映像信号を表示部５に出力し、音声信号をスピーカ７から出力するという点が変更されることを除いて、同様の手順で実施される。
【００４２】
上述のごとく、第１の実施例に係る無線通信端末装置においては、ラジオ放送，ＴＶ放送等の地域固有の公共放送を、受信を希望する放送局の電波が届かないエリアにおいても視聴することが可能となる。すなわち、接続した通信端末装置から地域固有の公共放送情報を伝送することにより、自分のいる地域に関係なく、全国の放送局の番組を受信することができる。
【００４３】
（第２の実施例）
図３は、図１の携帯電話機において放送局の電波を受信する手順の他の実施例を表す概念図、図４は、図３の実施例において受信を希望する放送局を指定してその放送局の電波を受信する際の動作制御の一例を説明するためのフロー図である。
図３及び図４に基づいて、一般的なサーバコンピュータなどにより構成される情報管理サーバ１２内に格納されている他の端末の情報を自動検索することによって、受信を希望する公共放送の放送局の電波が受信可能な他の端末を利用者に知らせる手順について説明する。
【００４４】
利用者が使用している端末を端末ａとする。利用者は、端末ａの表示部５及びキー入力部９を用いて受信したい放送局（ここでは放送局Ｓ）の情報を入力する。端末ａの制御部６は、その情報を解析し、その情報と端末ａ内に格納されている、例えば電話帳データ等の他の端末の情報を合わせ、通信信号処理部４を用いて無線通信アンテナ２から情報管理サーバ１２へ送信するための信号に変換する。
【００４５】
無線通信アンテナ２は、無線通信回線を介してその情報を情報管理サーバ１２に送信する（（ｉ）：ステップＳ１）。情報管理サーバ１２は、各端末の現在位置の情報を、例えば、無線通信キャリアから情報を提供してもらう等の方法によって調査する（ステップＳ２）。情報管理サーバ１２は、今調査した各端末の位置情報と端末ａの利用者が受信を希望している放送局の所在地情報とを比較し、受信可能な端末が存在するか検索する（（ｉｉ）：ステップＳ３，Ｓ４）。
【００４６】
受信可能な端末が見つからなかった場合、情報管理サーバ１２はその旨を端末ａに通知する（ｉｉｉ）。その通知を受信した端末ａは、希望の放送局が受信不可能であることを表示部５に表示する（ステップＳ６）。
【００４７】
一方、受信可能な端末が見つかった場合、その端末と、その端末の位置情報と放送局の所在地情報との距離に応じて、どの程度クリアに受信できるかを示す受信レベルの情報を、無線通信回線を通して端末ａに送信する（ｉｉｉ）。また、受信可能な端末が複数ある場合、それらの中から受信レベルの高い順にいくつかを選びそのリストを端末ａに送信する（ステップＳ５）。
【００４８】
その情報を受信した端末ａは、制御部６によりその情報を解析し、端末ａを検索により見つかった端末に接続するかどうかを確認する情報を表示部５に表示する。利用者はその情報から接続を行うかどうか、また端末が複数見つかった場合はどの端末に接続するかを決定する。見つかった端末（ここでは端末ｂ）に接続することを選択した場合、以後の手順は、第１の実施例で説明したものと同様に、（ｉｖ）接続、（ｖ）放送受信、（ｖｉ）ラジオ情報の受信、を行えばよい。
【００４９】
上述のごとく、本発明の第２の実施例に係る無線通信端末装置においては、ラジオ放送，ＴＶ放送等の地域固有の公共放送を、受信を希望する放送局の電波が届かないエリアにおいても視聴することが可能となる上に、このとき接続する端末は、端末の位置情報を管理する情報管理サーバ１２によって自動検索されるので、利用者は受信に必要な端末の存在を意識しなくてよい。
【００５０】
（第３の実施例）
次に、図３を再度参照して、接続先端末を切り替えることによって、受信電波レベルの低下による受信状況の悪化を防止する手順について説明する。
【００５１】
利用者の端末ａは端末ｂに接続し、ラジオ情報を受信しているものとする。ラジオ情報受信中の端末ｂは放送信号処理部３によって一定時間間隔で受信レベルの測定を行う。受信レベルが十分でない場合、端末ｂは無線通信アンテナ２を用いてその旨を情報管理サーバ１２に通知する。
【００５２】
その通知を受けた情報管理サーバ１２は、保持している情報から受信可能な端末を検索し、受信可能な端末が見つからなければ、情報管理サーバ１２はその旨を端末ａに通知する。その通知を受信した端末ａは、希望の放送局が受信不可能であることを表示部５に表示する。
【００５３】
受信可能な端末ｃが見つかった場合、情報管理サーバ１２は、端末ｂから端末ｃへ接続を切り替えるための情報を端末ａに通知する。その情報を受信した端末ａは、制御部６によりその情報を解析し、端末ｂとの接続を終了し、新たに端末ｃに接続し、端末ｃからラジオ情報を受信する手順を行う。これ以降手順については、第１の実施例において説明したものと同様である。
【００５４】
上述のごとく、本発明の第３の実施例に係る無線通信端末装置においては、ラジオ放送，ＴＶ放送等の地域固有の公共放送を、受信を希望する放送局の電波が届かないエリアにおいても視聴することが可能となる上に、接続先の端末を切り替えることによって、受信電波レベルの低下による受信状況の悪化を防止することが可能となる。
【００５５】
【発明の効果】
本発明によれば、無線通信端末装置において、ラジオ放送，ＴＶ放送等の地域固有の公共放送を、受信を希望する放送局の電波が届かないエリアにおいても視聴することが可能となる。
【図面の簡単な説明】
【図１】本発明の一実施形態に係る、ラジオ放送の受信が可能な携帯電話機の構成例を示す機能ブロック図である。
【図２】図１の携帯電話機において放送局の電波を受信する手順の一実施例を表す概念図である。
【図３】図１の携帯電話機において放送局の電波を受信する手順の他の実施例を表す概念図である。
【図４】図３の実施例において受信を希望する放送局を指定してその放送局の電波を受信する際の動作制御の一例を説明するためのフロー図である。
【符号の説明】
ａ，ｂ…端末（携帯電話機）、Ｓ…放送局、１…放送受信アンテナ、２…無線通信アンテナ、３…放送信号処理部、４…通信信号処理部、５…表示部、６…制御部、７…スピーカ、８…マイク、９…キー入力部、１１…放送受信可能エリア、１２…情報管理サーバ。
【図１】
2004186962.tif 000003
【図２】
2004186962.tif 000004
【図３】
2004186962.tif 000005
【図４】
2004186962.tif 000006